(57)【特許請求の範囲】
【請求項１】
上面部が開口している立方体または直方体の箱型形状をした筐体の、左右側面部の一部として、前記左右側面部と同一平面になるように直立して配備された略Ｌ字形状をした第１のフック構造と、
前記筐体の上面を覆い、上平面に対して直角下方に折れまがった左右側面部と背面部を有するカバーの前記左右側面部に配備され、前記筐体に前記カバーをかぶせたときに前記第１のフック構造と対向する位置に、前記左右側面部に対して内側に直角になるように取付けられた略Ｌ字形状をした第２のフック構造と、
前記筐体の前記正面部側の上面部の一部を覆う正面上部に、当該正面上部の厚みが段差となるように、突出して配備された第１の段曲げ構造部と、
前記筐体の前記正面部に対向する側の前記カバーに、当該カバーの厚みが段差となるように、前記第１の段曲げ構造部と互い違いとなる位置に突出して配備された第２の段曲げ構造部と、を備え、
前記筐体の第１のフック構造と前記カバーの第２のフック構造とが係合した状態をなし、前記第１の段曲げ構造部が前記カバーの裏面部に嵌め込まれてなり、前記第１の段曲げ構造部の面と前記カバーの面とが面接触してなり、前記第２の段曲げ構造部が前記筐体の前記正面上部の裏面部に嵌め込まれてなり、前記第２の段曲げ構造部の面と前記筐体の面とが面接触してなり、前記カバーが前記筐体に固着されてなることを特徴とする筐体固定構造。
【請求項２】
前記第２のフック構造は、前記略Ｌ字の横短辺部に相当する第２のフック基部と、前記略Ｌ字の縦長辺部に相当する第２のフック指部と、前記第２のフック構造が前記カバーの前記左右側面部と直角になるように、前記第２のフック基部を前記左右側面部に取付けたときに、前記第２のフック指部と前記カバーの前記左右側面部とで形成される空間である第１のフック構造係合溝とを有し、
前記第１のフック構造は、前記略Ｌ字の横短辺部に相当する第１のフック基部と、前記略Ｌ字の縦長辺部に相当する第１のフック指部と、前記第１のフック構造が前記筐体の前記左右側面部と同一の平面上に形成されるように、前記第１のフック基部を前記左右側面部に取付けたときに、前記第１のフック指部と前記筐体の前記左右側面部とで形成される空間である第２のフック構造係合溝と、前記カバーを前記筐体にかぶせるときに、前記第２のフック基部が挿通する空間である第２のフック基部挿通部とを有し、
前記カバーを前記筐体にかぶせると、水平状態の前記第２のフック基部が前記第２のフック基部挿通部を、直立状態の前記第１のフック指部が前記第１のフック構造係合溝を、それぞれ挿通して、前記第１のフック構造と前記第２のフック構造が、それぞれ９０度の角度をもって対向し、
前記筐体にかぶせた前記カバーを前記筐体の前記正面部方向に水平移動すると、直立状態の前記第１のフック基部が前記第１のフック構造係合溝の中を移動し、水平状態の前記第２のフック基部が前記第２のフック構造係合溝の中を移動して、前記第１のフック構造と前記第２のフック構造が係合することを特徴とする請求項１に記載の筐体固定構造。
【請求項３】
前記第１の段曲げ構造と前記第２の段曲げ構造の、少なくともいずれか片方の段曲げ構造に、対向して接する前記カバーまたは前記筐体の前記正面上部の裏面部に圧接する突起構造を有することを特徴とする請求項１または２に記載の筐体固定構造。
【請求項４】
前記第１のフック構造は、前記筐体の左右側面部に、少なくともそれぞれ１箇所に配備され、前記第２のフック構造は、前記カバーの左右側面部に、少なくともそれぞれ１箇所に配備されることを特徴とする請求項１ないし３のいずれかの請求項に記載の筐体固定構造。
【請求項５】
前記第１の段曲げ構造は、少なくとも前記筐体の前記正面上部の略中央付近の１箇所に配備され、前記第２の段曲げ構造は、少なくとも前記カバーにおいて左右側面部に近い付近のそれぞれ１箇所に配備されることを特徴とする請求項１ないし４のいずれかの請求項に記載の筐体固定構造。
【請求項６】
前記筐体と前記カバーを、背面から少なくとも１本のネジで固定するネジ固定構造を有することを特徴とする請求項１ないし５のいずれかの請求項に記載の筐体固定構造。
【発明の詳細な説明】
【技術分野】
【０００１】
本発明は、筐体固定構造に関し、特に、内部に通信装置を収容する筐体の筐体固定構造に関する。
【背景技術】
【０００２】
通信装置を収容する筐体は、電気部品や電子部品から構成される通信装置を外部環境の変化から保護することを目的とする。温度や湿度が最適に調整された通信機械室に設置される通信装置もあれば、風雨、塵埃、太陽光などの自然環境にさらされる屋外に設置される通信装置もある。従って、収容する通信装置の種類や設置場所に応じて、通信装置を収容する筐体に求められる条件は、さまざまである。しかし、最低限に必要とされる条件は、外力が加わっても簡単には破損、変形しない強固な構造と、電気部品や電子部品から発生する電磁放射ノイズを遮蔽する構造である。
【０００３】
そのため、通信装置の筐体は、一般的に、金属板を立方体または直方体の箱型形状に加工して作られた金属ケースになっており、電磁放射ノイズをその金属ケースで遮蔽してグランドに流すことができる構造となっている。そして、金属ケースを構成するカバーやその他の部位の固定構造として、外力に対するガタツキを抑制し、強度やＥＭＣ（Electro Magnetic Compatibility、電磁両立性）を配慮して、隙間を極力少なくするためにネジを用いた固定が多く採用されている。
【０００４】
特許文献１は、実装基板を収容する筐体と、その上面を覆うカバーとを密着させてカバーを筐体に強固に固定することができる、嵌め込みによる固定構造を開示している。特許文献１が開示する固定構造は、筐体の縁に開口部が設けられ、その開口部を挿通して筐体の縁の裏面に引っ掛かる突起部を先端に有した弾力性のある鉤形状の爪部をカバーに備える構造になっている。爪部を筐体の開口部に挿通させながらカバーを筐体の上面からかぶせ、カバーをスライドさせてこの爪部を筐体の縁に沿って押し込むと、爪部の突起部とカバーの縁とで筐体の縁を挟み込むので、カバーと筐体とが固定される。
【先行技術文献】
【特許文献】
【０００５】
【特許文献１】特開２０１１-００９５１２号公報
【発明の概要】
【発明が解決しようとする課題】
【０００６】
特許文献１が開示する固定構造は、カバーと筐体のみを嵌め込みにより固定する構造である。その固定は、カバーをスライドさせた方向、例えば前後方向、に対するガタツキを抑制することはできる。しかし、それと直交する方向、例えば左右方向や上下方向、に対するガタツキを抑えることはできない。そのため、特許文献１が開示する固定構造は、カバーを筐体に固定させた後に、開口している筐体の正面全体を覆うためのフロントカバーを、多数のネジを用いてネジ止めする必要がある。
【０００７】
ネジ止めによる固定は、固定手段としては確実ではあるが、工具を使用した作業になるため、固定箇所が多くなると、これに比例して作業工数が増大するという課題がある。
【０００８】
本発明の目的は、上記の課題を解決して、前後方向のみならず左右方向および上下方向の外力に対してもガタツキを抑制して、カバーと筐体を嵌め込みにより固定する筐体固定構造を提供することにある。
【課題を解決するための手段】
【０００９】
上記の目的を実現するために、本発明の一形態である筐体固定構造は、上面部が開口している立方体または直方体の箱型形状をした筐体の、左右側面部の一部として、前記左右側面部と同一平面になるように直立して配備された略Ｌ字形状をした第１のフック構造と、前記筐体の上面を覆い、上平面に対して直角下方に折れまがった左右側面部と背面部を有するカバーの前記左右側面部に配備され、前記筐体に前記カバーをかぶせたときに前記第１のフック構造と対向する位置に、前記左右側面部に対して内側に直角になるように取付けられた略Ｌ字形状をした第２のフック構造と、前記筐体の前記正面部側の上面部の一部を覆う正面上部に、当該正面上部の厚みが段差となるように、突出して配備された第１の段曲げ構造部と、前記筐体の前記正面部に対向する側の前記カバーに、当該カバーの厚みが段差となるように、前記第１の段曲げ構造部と互い違いとなる位置に突出して配備された第２の段曲げ構造部とを備え、前記筐体の第１のフック構造と前記カバーの第２のフック構造とが係合した状態をなし、前記第１の段曲げ構造部が前記カバーの裏面部に嵌め込まれてなり、前記第１の段曲げ構造部の面と前記カバーの面とが面接触してなり、前記第２の段曲げ構造部が前記筐体の前記正面上部の裏面部に嵌め込まれてなり、前記第２の段曲げ構造部の面と前記筐体の面とが面接触してなり、前記カバーが前記筐体に固着されてなることを特徴とする。
【発明の効果】
【００１０】
本発明は、カバーと筐体を嵌め込みにより固定する筐体固定構造において、前後方向のみならず左右方向および上下方向の外力に対してもガタツキを抑制することができる。
【図面の簡単な説明】
【００１１】
【図１】本発明の基本実施形態の筐体固定構造を示す分解斜視図である。
【図２】本発明の実施形態の筐体固定構造を示す分解斜視図である。
【図３】筐体フック構造とカバーフック構造を説明する図である。
【図４】筐体段曲げ構造とカバー段曲げ構造を説明する斜視図である。
【図５】筐体段曲げ構造とカバー段曲げ構造を嵌め込む動作を説明する斜視図である。
【図６】筐体段曲げ構造とカバー段曲げ構造を嵌め込んだ状態を説明する断面図である。
【図７】カバーを筐体に嵌め込む動作を説明する斜視図である。
【図８】カバーを筐体に嵌め込んだ状態を正面方向から見た斜視図とその透視図である。
【図９】カバーを筐体に嵌め込んだ状態を背面方向から見た斜視図とその嵌め込み状態を示す拡大斜視図である。
【図１０】カバーを筐体に嵌め込んだ状態を正面方向から見た斜視図とその嵌め込み状態を示す拡大斜視図である。
【発明を実施するための形態】
【００１２】
本発明を実施するための形態について図面を参照して説明する。
【００１３】
図１は、本発明の基本実施形態の筐体固定構造を示す分解斜視図である。
【００１４】
尚、以降に説明する実施の形態は例示であり、開示の構造はそれらの実施の形態には限定されない。
【００１５】
本実施形態における筐体固定構造は、図１に示すように筐体１にカバー２を固着させる構成となっている。
【００１６】
基本実施形態を説明する。
【００１７】
筐体１は、上面部が開口している立方体または直方体の箱型形状を成している。なお、図１において、図面の左下方向の面（手前に見える面）を正面とし、右上方向の面を背面としている。これは、後述する図２、４、５、７、８、１０においても同様である。
【００１８】
筐体１は、左右側面部の一部として、左右側面部と同一平面になるように直立して配備された略Ｌ字形状をした第１のフック構造１−１を有する（部分拡大図参照）。
【００１９】
また、この筐体１を覆うカバー２は、上平面に対して直角下方に折れまがった左右側面部と背面部を有する。そして、略Ｌ字形状をした第２のフック構造２−１が、カバー２の左右側面部に配備されている。この第２のフック構造２−１は、筐体１にカバー２をかぶせたときに第１のフック構造１−１と対向する位置であって、カバー２の左右側面部に対して内側に直角になるように取付けられている（部分拡大図参照）。
【００２０】
また、筐体１の正面部側の上面部の一部を覆う正面上部の一部の位置に、当該正面上部の厚みが段差となるように、第１の段曲げ構造部１−２が突出して配備されている。
【００２１】
そして、カバー２には、筐体１の正面部に対向する側の位置に、当該カバーの厚みが段差となるように、第２の段曲げ構造部２−２を備える。この第２の段曲げ構造部２−２は、第１の段曲げ構造部１−２と互い違いとなる位置に突出して配備されている。
【００２２】
筐体１にカバー２をかぶせ、その後、カバー２を筐体１の正面部方向に水平移動させてカバー２を筐体２に固着させる。つまり、カバー２の筐体１の正面部方向への水平移動により、筐体１にカバー２をかぶせた段階で対向していた第１のフック構造１−１と第２のフック構造２−１とが係合する。同時に、第１の段曲げ構造部１−２がカバー２の裏面部に嵌め込まれ、第２の段曲げ構造部２−２が筐体１の正面上部の裏面部に嵌め込まれる。これにより、カバー２が筐体１に固着する。
【００２３】
この基本実施形態において、略Ｌ字形状をした第１のフック構造１−１と略Ｌ字形状をした第２のフック構造２−１とが、それぞれ９０度の角度を持って係合する。このことは、それぞれの「Ｌ」字の縦長辺部に相当する箇所が９０度の角度で係合するので、それぞれの縦長辺部に相当する箇所の作用により、左右方向および上下方向のガタツキが抑えられる。
【００２４】
また、第１の段曲げ構造部１−２がカバー２の裏面部に嵌め込まれ、第２の段曲げ構造部２−２が筐体１の正面上部の裏面部に嵌め込まれるので、それぞれの段曲げ構造部と筐体１の正面上部の裏面部、カバー２の裏面部が面接触した状態になる。そのため、面接触による摩擦により前後方向のガタツキが抑えられる。
【００２５】
さらに、係合した第１のフック構造１−１と第２のフック構造２−１、および接触した段曲げ構造部と筐体１の正面上部の裏面部、カバー２の裏面部により、筐体１とカバー２は電気的な導通を得ることができ、同電位とすることができる。そのため、筐体１が収容する通信機器からの電磁放射ノイズを遮蔽して、グランドに流す構造の筐体を形成することができる。
【００２６】
図２を参照して実施形態を詳細に説明する。
【００２７】
図２は、本発明の実施形態の筐体固定構造を示す分解斜視図である。
【００２８】
筐体１は、一般的に金属板をプレス加工して打ち抜いて成形したものが用いられる。そのため、筐体１は、どの部位においても電気的な導通があり、同電位となる。なお、正面部は、正面部の近傍の上面部を覆う、正面上部を備えている。
【００２９】
カバー２は、正面が開口した、箱の蓋様の形状を成している。そして、カバー２を筐体１に嵌め込んだときに、筐体１の左右側面部とカバー２の左右側面部が、そして筐体１の背面部とカバー２の背面部が、それぞれ隙間が生じないで重なり合う構造になっている。また、カバー２も一般的に金属板をプレス加工して打ち抜いて成形したものが用いられ、どの部位においても電気的な導通があり、同電位となる。
【００３０】
なお、カバー２を筐体１に嵌め込んだときに、筐体１とカバー２の各側面部と各背面部が、それぞれ隙間が生じないで重なり合う構造の筐体とは、次のいずれの構造であっても良い。第１の構造は、カバー２の各面の内側が、筐体１の対応する各面の外側に接して重なり合う構造になっている。第２の構造は、筐体１の各側面部と各背面部の内側に縁部（みみ）を形成し、カバー２を筐体１に嵌め込んだときに、カバー２の各面の内側が筐体１の対応する各面に形成された縁部の外側に接して重なり合う構造になっている。
【００３１】
第１の構造は、カバー２を形成する金属板の厚みが、筐体１を形成する金属板の厚みよりも薄い場合に適している。また、第２の構造は、筐体１もカバー２も同じ厚さの金属板を使用し、カバー２の各面外側と筐体１の各面外側とに段差を生じることなく、カバー２を筐体１に嵌め込むことができる筐体を作る場合に適している。本実施形態を説明する図は、第２の構造を例として示しているが、以降の説明においては、第１の構造も第２の構造も区別せず、上述した縁部も側面部として説明する。
【００３２】
また、以降の説明では、第１のフック構造１−１を筐体フック構造１１、第２のフック構造２−１をカバーフック構造２１、第１の段曲げ構造１−２を筐体段曲げ構造１２、第２の段曲げ構造２−２をカバー段曲げ構造２２と称して説明する。
【００３３】
本実施形態の筐体固定構造として、筐体１の左側面部および右側面部には筐体フック構造１１が、正面部の正面上部には筐体段曲げ構造１２が配備されている。また、カバー２の左側面部および右側面部にはカバーフック構造１２が、正面の開口部にはカバー段曲げ構造２２が配備されている。なお、図２では、筐体フック構造１１およびカバーフック構造１２を、向かって右側の側面部においてのみ参照符号を付して示しているが、左側の側面部の対応する位置にもそれぞれのフック構造が配備されている。
【００３４】
筐体フック構造１１は、筐体１の左右の各側面部において、任意の位置に、任意の数だけ配備される。一般的には、正面と背面に近い位置にそれぞれ１箇所と、それらの中間の位置に１箇所の合計３箇所に配備すると良い。また、側面部が長い筐体の場合は、１００ｍｍから１５０ｍｍを目安とした間隔で中間の複数個所の位置に配備しても良い。逆に、筐体の側面部が短い場合には正面と背面に近い位置にそれぞれ１箇所の合計２箇所でも良い。更に側面部が短い筐体の場合には、背面に近い位置に１箇所だけ配備しても良い。従って、筐体フック構造１１が配備される最小構成は、筐体１の左右の各側面部において、１箇所に配備される構造となる。
【００３５】
カバーフック構造２１は、カバー２の左右の各側面部において、筐体フック構造１１と対応する位置に配備される。従って、筐体１の左右の各側面部の正面に近い位置、背面に近い位置、それらの中間の位置に筐体フック構造１１が配備されている場合は、カバー２の左右の各側面部のそれらの位置と対応する箇所にカバーフック構造２１が配備されている。また、筐体フック構造１１と同様に、カバーフック構造２１が配備される最小構成は、カバー２の左右の各側面部において、１箇所に配備される構造となる。カバーフック構造２１は、後述する操作を行うことにより筐体フック構造１１と係合し、筐体フック構造１１とカバーフック構造２１との作用により、筐体１とカバー２を固着する。
【００３６】
図２は、正面と背面に近い位置にそれぞれ１箇所と、それらの中間の位置に１箇所の合計３箇所に筐体フック構造１１とカバーフック構造２１を配備した例を示している。また、正面に近い位置に配備した筐体フック構造１１とカバーフック構造２１の拡大図を示している。
【００３７】
筐体段曲げ構造１２は、カバー２を筐体１に嵌め込んだときに、筐体１の正面部の正面上部において、カバー段曲げ構造２２と互い違いとなる位置に配備される。筐体段曲げ構造１２は、筐体１の正面上部の厚みが段差となるようにして、筐体１の内側方向に突出して配備された舌状の金属板である。筐体段曲げ構造１２は、カバー２を筐体１に嵌め込んだときに、その突出して配備された舌状部分がカバー２の裏面側に潜り込む構造となっている。
【００３８】
カバー段曲げ構造２２は、カバー２を筐体１に嵌め込んだときに、カバー２の正面において、筐体段曲げ構造１２と互い違いとなる位置に配備される。カバー段曲げ構造２２は、カバー２の正面側に、カバー２の厚みが段差となるようにして正面方向に突出して配備された舌状の金属板である。カバー段曲げ構造２２は、カバー２を筐体１に嵌め込んだときに、その突出して配備された舌状部分が筐体１の正面上部の裏面側に潜り込む構造となっている。
【００３９】
図２において、筐体段曲げ構造１２およびカバー段曲げ構造２２の形状を、長方形で示しているが、これに限られることはない。正方形状、半円形状、半長楕円形状、台形状等の任意の形状でかまわない。
【００４０】
図２では、カバー段曲げ構造２２を、カバー２の正面において、左右側面に近い位置にそれぞれ１箇所と、それらの中間の位置に１箇所の合計３箇所に配備している。そして、カバー２を筐体１に嵌め込んだときに、筐体１の正面部において、カバー段曲げ構造２２が配備されていない位置に対応する２箇所に、筐体段曲げ構造１２を配備している。
【００４１】
筐体段曲げ構造１２とカバー段曲げ構造２２は、筐体の正面部の長さに応じて任意の数だけ配備して良い。例えば、筐体の正面部が図１に示す例より長い場合には、カバー段曲げ構造２２を、左右側面に近い位置にそれぞれ１箇所と、それらの中間の位置の複数箇所に配備する。そして、カバー段曲げ構造２２が配備されていない位置に対応する筐体１の正面部に、筐体段曲げ構造１２を配備すればよい。また逆に、筐体の正面部が短い場合には、カバー段曲げ構造２２を、カバー２の左右側面に近い位置にそれぞれ１箇所だけ配備し、筐体段曲げ構造１２を、筐体１の正面部中央の１箇所に配備した構造でも良い。
【００４２】
更に筐体の正面部が短い場合には、筐体１とカバー２にそれぞれ１箇所の筐体段曲げ構造１２とカバー段曲げ構造２２を配備した構造でもかまわない。しかし、カバー２の側面側への反りを考慮した場合、カバー２の左右側面に近い位置にそれぞれ１箇所のカバー段曲げ構造２２を配備することが好ましい。そのため、筐体の正面部が短い場合には、段曲げ構造の長手方向の寸法を小さくして、カバー２には少なくとも２箇所、筐体１には少なくとも１箇所に、それぞれの段曲げ構造を配備することができるようにするのが望ましい。
【００４３】
筐体フック構造１１とカバーフック構造２１について詳細に説明する。
【００４４】
図３は、筐体フック構造１１とカバーフック構造２１を説明する図である。図３（１）は筐体フック構造１１を示し、図３（２）はカバーフック構造２１を示す。また、（ａ）は各フック構造の斜視図、（ｂ）は各フック構造の部位を説明する図、（ｃ）は各フック構造の部位の寸法を説明する図である。
【００４５】
まず、図３（１）の（ａ）、（ｂ）、（ｃ）を参照して、筐体フック構造１１を説明する。
【００４６】
筐体フック構造１１は、筐体１の左右側面部に形成された略Ｌ字形状のフック構造である。
【００４７】
筐体フック構造１１は、筐体１の側面部と同一の平面上に形成されており、筐体フック基部１１ａ、筐体フック指部１１ｂ、カバーフック基部挿通部１１ｃおよびカバーフック構造係合溝１１ｄで構成される。
【００４８】
つまり、「Ｌ」字の横短辺部に相当する箇所が筐体フック基部１１ａ、縦長辺部に相当する箇所が筐体フック指部１１ｂである。それぞれ平板状に形成されている。そして、横短辺部に相当する箇所を筐体１の側面部に９０度の角度で取付けたときに、その側面部の縁と縦長辺部に相当する箇所との間に形成される空間がカバーフック構造係合溝１１ｄである。
【００４９】
カバーフック基部挿通部１１ｃとカバーフック構造係合溝１１ｄは、筐体１の側面部を打ち抜いて形成された空間である。
【００５０】
筐体フック基部１１ａは、筐体１の側面部と一体化された部位であり、カバーフック構造係合溝１１ｄの深端部から、後述するカバーフック指部２１ｂの長さ（ｄ３）に相当する箇所を指す。筐体フック指部１１ｂは、筐体フック基部１１ａと一体化された部位であり、筐体１の側面部からカバーフック基部挿通部１１ｃとカバーフック構造係合溝１１ｄを打ち抜いた残りの箇所である。つまり、筐体フック指部１１ｂは、カバーフック構造係合溝１１ｄの溝幅だけ筐体フック基部１１ａより狭い部位が、カバーフック基部挿通部１１ｃの方向に突き出ている。筐体フック指部１１ｂの長さは、後述するカバーフック指部２１ｂの長さと同じである。
【００５１】
カバーフック基部挿通部１１ｃは、カバー２を筐体１に嵌め込む際に、後述するカバーフック基部２１ａが縦方向に挿通する部位である。そのため、カバーフック基部２１ａが引っ掛かることなく挿通するように、カバーフック基部２１ａの長さ（ｄ１）よりも２ｍｍから５ｍｍ程度の長い幅を持った空間となっている。
【００５２】
カバーフック構造係合溝１１ｄは、カバー２を筐体１に嵌め込む際に、カバーフック基部挿通部１１ｃを挿通したカバーフック基部２１ａを、当該溝の深端部方向に水平にスライドさせる溝である。カバーフック構造係合溝１１ｄは、スライドさせてその深端部に達したカバーフック基部２１ａを、筐体フック指部１１ｂとその対向部とにより、ガタツキなく挟み込む作用を持つ。この場合の対向部は、筐体１の筐体フック基部１１ａを取付けた側面部の縁である。そのため、カバーフック構造係合溝１１ｄの溝幅（ｄ４）は、カバーフック基部２１ａを形成する金属板の厚みと略同じ寸法か、若干（例えば、０．１ｍｍ程度）大きめの寸法を有する。
【００５３】
なお、筐体フック構造１１の高さ（ｄ５）は任意に決められる。例えば、カバー２を筐体１に嵌め込んだときに、筐体１の正面部を構成する上面部とカバー２とが段差無く一体化されるように、筐体フック構造１１の高さ（ｄ５）を決めても良い。
【００５４】
続いて、図３（２）の（ａ）、（ｂ）、（ｃ）を参照して、カバーフック構造２１を説明する。
【００５５】
カバーフック構造２１は、カバー２の左右側面部に形成された略Ｌ字形状のフック構造である。
【００５６】
カバーフック構造２１は、カバー２の側面部と直交する平面上に形成されており、カバーフック基部２１ａ、カバーフック指部２１ｂおよび筐体フック構造係合溝２１ｃで構成される。
【００５７】
つまり、「Ｌ」字の横短辺部に相当する箇所がカバーフック基部２１ａ、縦長辺部に相当する箇所がカバーフック指部２１ｂである。それぞれ平板状に形成されている。そして、横短辺部に相当する箇所をカバー２の側面部に９０度の角度で取付けたときに、その側面部の面と縦長辺部に相当する箇所との間に形成される空間が筐体フック構造係合溝２１ｃである。
【００５８】
カバーフック基部２１ａは、カバー２の側面部と連接する部位である。例えば、カバーフック構造２１は、カバー２の側面部を、連接部を除いてカバーフック構造２１の形状に打ち抜き、打ち抜いた部分をカバー２の内側に９０度折り曲げて形成しても良い。また、カバーフック構造２１は、略Ｌ字形状のカバーフック構造２１を個別に作成し、カバーフック基部２１ａをカバー２の側面部に接着して形成しても良い。
【００５９】
カバーフック指部２１ｂは、カバーフック基部２１ａと一体化された部位であり、筐体フック構造係合溝２１ｃの溝幅だけ筐体フック基部１１ａより狭い部位が、カバー２の側面部と並行する方向に突き出ている。カバーフック指部２１ｂの長さ（ｄ３）は、筐体フック指部１１ｂの長さと同じである。
【００６０】
筐体フック構造係合溝２１ｃは、筐体フック基部１１ａを、当該溝の深端部方向に水平にスライドさせる溝である。つまり、カバー２を筐体１に嵌め込む際に、カバーフック基部挿通部１１ｃを挿通したカバーフック基部２１ａを、カバーフック構造係合溝１１ｄを水平にスライドさせる。このとき、同時に、筐体フック基部１１ａが筐体フック構造係合溝２１ｃを水平に逆方向にスライドする。筐体フック構造係合溝２１ｃは、スライドさせてその深端部に達した筐体フック基部１１ａを、カバーフック指部２１ｂとその対向部とにより、ガタツキなく挟み込む作用を持つ。この場合の対向部は、カバー２の側面の内側の面である。
【００６１】
なお、カバーフック基部２１ａを、筐体フック構造１１のカバーフック基部挿通部１１ｃを挿通させる際、同時に、筐体フック構造１１の直立している筐体フック指部１１ｂも筐体フック構造係合溝２１ｃを挿通する。そこで、筐体フック指部１１ｂが筐体フック構造係合溝２１ｃをスムースに挿通できるようにするため、筐体フック構造係合溝２１ｃの溝幅（ｄ２）を、筐体フック指部１１ｂを形成する金属板の厚みよりも若干大きくする。筐体フック構造係合溝２１ｃの溝幅（ｄ２）を、筐体フック指部１１ｂを形成する金属板の厚みよりも、例えば、０．２ｍｍ程度大きくする。
【００６２】
以上に説明した筐体フック構造１１とカバーフック構造２１の嵌め込み動作と作用を整理すると次のようになる。
【００６３】
カバー２を筐体１にかぶせ、水平に寝ている、カバーフック構造２１のカバーフック基部２１ａを、筐体フック構造１１のカバーフック基部挿通部１１ｃを上から挿通させる。このとき、直立している、筐体フック構造１１の筐体フック指部１１ｂも筐体フック構造係合溝２１ｃを挿通する。この状態で、カバーフック構造２１のカバーフック基部２１ａは、水平状態で、筐体フック構造１１のカバーフック構造係合溝１１ｄの入り口に位置している。また、筐体フック構造１１の筐体フック基部１１ａは、直立状態で、カバーフック構造２１の筐体フック構造係合溝２１ｃの入り口に位置している。つまり、カバーフック基部２１ａと筐体フック基部１１ａは、それぞれ９０度の角度をもって位置している。同様に、カバーフック指部２１ｂと筐体フック指部１１ｂも、それぞれ９０度の角度をもって位置している。このように、筐体フック構造１１とカバーフック構造２１とが、それぞれ９０度の角度をもって合い向き合った、対向している状態になっている。
【００６４】
この状態からカバー２を筐体１の正面部方向に水平にスライドさせる。このスライド動作により、カバーフック構造２１のカバーフック基部２１ａは、筐体フック構造１１のカバーフック構造係合溝１１ｄの中に、水平状態のままスライド移動する。相対的に、筐体フック構造１１の筐体フック基部１１ａは、カバーフック構造２１の筐体フック構造係合溝２１ｃの中に、直立状態のままスライド移動する。
【００６５】
カバーフック構造２１のカバーフック基部２１ａは、筐体フック構造１１のカバーフック構造係合溝１１ｄの深端部に達してスライド動作が停止する。また、筐体フック構造１１の筐体フック基部１１ａは、カバーフック構造２１の筐体フック構造係合溝２１ｃの深端部に達してスライド動作が停止する。
【００６６】
スライド動作が停止するとカバー２が筐体１に嵌め込まれた状態になる。この状態では、カバーフック構造２１のカバーフック基部２１ａは、筐体フック構造１１のカバーフック構造係合溝１１ｄの中に入り込み、筐体フック指部１１ｂとその対向部で挟み込まれた状態になっている。筐体フック構造１１の筐体フック基部１１ａは、カバーフック構造２１の筐体フック構造係合溝２１ｃの中に入り込み、カバーフック指部２１ｂとその対向部であるカバー２の側面の内側で挟み込まれた状態になっている。
【００６７】
従って、筐体フック構造１１は、直立している平板状の筐体フック指部１１ｂとその対向部で、カバーフック構造２１の水平になっているカバーフック基部２１ａを挟み込むので、カバー２の上下方向のガタツキを抑えることができる。また、カバーフック構造２１は、水平になっている平板状のカバーフック指部２１ｂとカバー２の側面の内側で、筐体フック構造１１の直立している筐体フック基部１１ａを挟み込むので、左右方向のガタツキを抑えることができる。
【００６８】
また、カバーフック構造２１のカバーフック基部２１ａと筐体フック構造１１の筐体フック基部１１ａは、各フック構造係合溝の深端部で、９０度の角度をもって接触している。そのため、筐体１とカバー２は、筐体フック基部１１ａとカバーフック基部２１ａとの接触点で電気的な導通を得ることができる。
【００６９】
このように、カバー２を筐体１に嵌め込むと、筐体フック構造１１とカバーフック構造２１とが係合し、カバー２の上下方向および左右方向のガタツキを抑えた筐体を形成することができる。
【００７０】
次に、筐体段曲げ構造１２とカバー段曲げ構造２２について詳細に説明する。
【００７１】
図４は、筐体段曲げ構造１２とカバー段曲げ構造２２を説明する斜視図である。
【００７２】
図４において、筐体段曲げ構造１２とカバー段曲げ構造２２のそれぞれの拡大斜視図が示されている。図４の拡大斜視図に示されているように、筐体段曲げ構造１２は、筐体段曲げ構造舌部１２ａと筐体段曲げ構造突起部１２ｂで構成される。また、カバー段曲げ構造２２は、カバー段曲げ構造舌部２２ａとカバー段曲げ構造突起部２２ｂで構成される。
【００７３】
筐体段曲げ構造舌部１２ａは、カバー２を筐体１に嵌め込んだときに、筐体１の正面部において、カバー段曲げ構造舌部２２ａと互い違いとなる位置に配備される。筐体段曲げ構造舌部１２ａは、筐体１の正面上部に、正面上部の厚みが段差となるようにして筐体１の内側方向に突出して配備される。
【００７４】
例えば、筐体段曲げ構造舌部１２ａは、正面上部の縁に沿った方向を長手方向として、正面上部の裏面に取付けられている。つまり、筐体段曲げ構造舌部１２ａの上面は正面上部の裏面に接着している。このことは、正面上部を構成する金属板の厚みに相当する段差をもって筐体段曲げ構造舌部１２ａが取付けられていることを意味する。従って、筐体段曲げ構造舌部１２ａと正面上部とを、正面上部を構成する金属板の厚みに相当する段差をつけて一体成形してもよい。
【００７５】
筐体段曲げ構造舌部１２ａは、カバー２を筐体１に嵌め込んだときに、カバー２の裏面側に潜り込む構造となっている。
【００７６】
筐体段曲げ構造突起部１２ｂは、筐体段曲げ構造舌部１２ａに形成された半球状の突起構造である。この筐体段曲げ構造突起部１２ｂの作用については後述する。
【００７７】
カバー段曲げ構造舌部２２ａは、カバー２を筐体１に嵌め込んだときに、カバー２の正面において、筐体段曲げ構造舌部１２ａと互い違いとなる位置に配備される。カバー段曲げ構造舌部２２ａは、カバー２の正面側に、カバー２の厚みが段差となるようにして正面方向に突出して配備される。
【００７８】
例えば、カバー段曲げ構造舌部２２ａは、カバー２の正面側の縁に沿った方向を長手方向として、カバー２の正面側の裏面に取付けられている。つまり、カバー段曲げ構造舌部２２ａの上面はカバー２の正面側の裏面に接着している。このことは、カバー段曲げ構造舌部２２ａは、カバー２を構成する金属板の厚みに相当する段差をもって取付けられている。従って、カバー段曲げ構造舌部２２ａとカバー２とを、カバー２を構成する金属板の厚みに相当する段差をつけて一体成形してもよい。
【００７９】
カバー段曲げ構造舌部２２ａは、カバー２を筐体１に嵌め込んだときに、筐体１の正面部を構成する正面上部の裏面に潜り込む構造となっている。
【００８０】
カバー段曲げ構造突起部２２ｂは、カバー段曲げ構造舌部２２ａに形成された半球状の突起部である。このカバー段曲げ構造突起部２２ｂの作用については後述する。
【００８１】
以上の説明からわかるように、筐体１の正面上部の金属板の厚みと、カバー２の金属板の厚みが同じであれば、カバー２を筐体１に嵌め込んだときに、筐体１の正面上部とカバー２は段差無く嵌め込まれることになる。また、それぞれの厚みが異なっていたとしても、正面上部と筐体段曲げ構造舌部１２ａの段差およびカバー２とカバー段曲げ構造舌部２２ａの段差を適宜調整すれば、筐体１の正面上部とカバー２を段差無く嵌め込むことができる。
【００８２】
次に、図５を参照して、筐体段曲げ構造１２とカバー段曲げ構造２２を嵌め込む動作を説明する。図５は、筐体段曲げ構造１２とカバー段曲げ構造２２を嵌め込む動作を説明する斜視図である。なお、実際に筐体１にカバー２を嵌め込むためには、前述した筐体フック構造１１とカバーフック構造２１を嵌め込みながら、筐体段曲げ構造１２とカバー段曲げ構造２２を嵌め込む動作が行われる。しかし、ここでは筐体段曲げ構造１２とカバー段曲げ構造２２を嵌め込む動作にのみ着眼して説明する。
【００８３】
まず、カバー２を筐体１に嵌め込むために、筐体フック構造１１の位置にカバーフック構造２１の位置が対応するように、カバー２を筐体１の上で位置決めする。
【００８４】
そして、前述したように筐体フック構造１１のカバーフック基部挿通部１１ｃに、カバーフック構造２１のカバーフック基部２１ａを縦方向に挿通する。図５の下向き縦方向の矢印がこの動作を示す。つまり、筐体１の筐体フック構造１１の位置でカバー２をかぶせる。
【００８５】
この段階で、カバー２と筐体１の正面上部とは同一レベルになっており、筐体段曲げ構造１２はカバー２の裏面側に、そして、カバー段曲げ構造２２は、筐体１の正面上部の裏面側に潜り込む一歩手前の状態になっている。
【００８６】
カバー２を、筐体１の正面部方向にスライド移動させる。この動作により、筐体段曲げ構造１２はカバー２の裏面側に、そして、カバー段曲げ構造２２は、筐体１の正面上部の裏面側に潜り込む。
【００８７】
図５を参照すると、筐体段曲げ構造１２−１は、カバー段曲げ構造２２−１とカバー段曲げ構造２２−２の間のカバー２の裏面側に潜り込む。そして、筐体段曲げ構造１２−２は、カバー段曲げ構造２２−２とカバー段曲げ構造２２−３の間のカバー２の裏面側に潜り込む。相対的に、カバー段曲げ構造２２−１は、右側面部と筐体段曲げ構造１２−１の間の正面上部の裏面側に潜り込む。カバー段曲げ構造２２−２は、筐体段曲げ構造１２−１と筐体段曲げ構造１２−２の間の正面上部の裏面側に潜り込む。そして、カバー段曲げ構造２２−３は、筐体段曲げ構造１２−２と左側面部の間の正面上部の裏面側に潜り込む。
【００８８】
以上のようにして、カバー２を筐体１に嵌め込む。
【００８９】
このようにして筐体１にカバー２が嵌め込まれると、筐体段曲げ構造突起部１２ｂとカバー段曲げ構造突起部２２ｂが、それぞれ接触している相手の金属板とのガタツキを抑える。しかも筐体１とカバー２との電気的な導通を確実にする。
【００９０】
図６は、筐体段曲げ構造１２とカバー段曲げ構造２２を嵌め込んだ状態を説明する断面図である。
【００９１】
図６において、左側が筐体１の正面部で、その正面上部に配備された筐体段曲げ構造１２と、右側上部のカバー２に配備されたカバー段曲げ構造２２とが嵌め込まれた様子を、その拡大図とともに示している。つまり、筐体１の正面上部に配備された筐体段曲げ構造舌部１２ａが、カバー２の裏面側に潜り込み、カバー２に配備されたカバー段曲げ構造舌部２２ａが、筐体１の正面上部の裏面側に潜り込んでいる。
【００９２】
このとき、筐体段曲げ構造舌部１２ａに形成された突起構造である筐体段曲げ構造突起部１２ｂは、カバー２を裏面側から押し上げ、筐体段曲げ構造舌部１２ａとカバー２に相互に弾性力が働き、カバー２のガタツキを抑える。同様に、カバー段曲げ構造舌部２２ａに形成された突起構造であるカバー段曲げ構造突起部２２ｂは、筐体１の正面上部を裏面側から押し上げ、カバー段曲げ構造舌部２２ａと筐体１の正面上部に相互に弾性力が働き、これもカバー２のガタツキを抑える。
【００９３】
図６に例示するように、筐体段曲げ構造突起部１２ｂは、筐体段曲げ構造舌部１２ａの上面から０．２ｍｍ突出した半球状の突起構造である。筐体段曲げ構造突起部１２ｂは、筐体段曲げ構造舌部１２ａのほぼ中央部に形成されている。同様に、カバー段曲げ構造突起部２２ｂは、カバー段曲げ構造舌部２２ａの上面から０．２ｍｍ突出した半球状の突起構造である。カバー段曲げ構造突起部２２ｂは、カバー段曲げ構造舌部２２ａのほぼ中央部に形成されている。
【００９４】
なお、筐体段曲げ構造突起部１２ｂやカバー段曲げ構造突起部２２ｂの形状、大きさ、形成される位置は、これらに限られない。突起構造は、半球状でなくピラミッド状や円錐状であっても良い。各舌部の先端に近い位置に形成され、０．５ｍｍ突出したもので良い。各舌部の根元に近い位置に形成され、０．１ｍｍ突出したものでも良い。また、その数も１個ではなく複数であってもよい。筐体の大きさ、筐体を構成する金属板の厚さや材質に応じて任意に決めてよい。さらに、この突起構造は、必ずしも筐体段曲げ構造１２とカバー段曲げ構造２２の両方の段曲げ構造に形成しなくてもかまわない。少なくともいずれか片方の段曲げ構造に形成されているだけでもよい。
【００９５】
次に、筐体１にカバー２を嵌め込んで筐体を固定する動作を説明する。図７は、カバーを筐体に嵌め込む動作を説明する斜視図である。
【００９６】
まず、カバー２を筐体１に嵌め込むために、筐体フック構造１１の位置にカバーフック構造２１の位置が対応するように、カバー２を筐体１の上で位置決めする。
【００９７】
そして、筐体フック構造１１のカバーフック基部挿通部１１ｃに、カバーフック構造２１の水平状態のカバーフック基部２１ａを縦方向に挿通する。図７の拡大図におけるＡｂ方向の下向き矢印がこの動作を示す。
【００９８】
この状態で、カバーフック構造２１のカバーフック基部２１ａは、筐体フック構造１１のカバーフック構造係合溝１１ｄの入り口に水平状態で位置している。また、筐体フック構造１１の筐体フック基部１１ａは、カバーフック構造２１の筐体フック構造係合溝２１ｃの入り口に直立状態で位置している。つまり、カバーフック基部２１ａと筐体フック基部１１ａは、それぞれ９０度の角度をもって位置している。同様に、カバーフック指部２１ｂと筐体フック指部１１ｂも、それぞれ９０度の角度をもって位置している。つまり、筐体フック構造１１とカバーフック構造２１とが、それぞれ９０度の角度をもって合い向き合った、対向している状態になっている。
【００９９】
同時に、カバー２と筐体１の正面上部とは同一レベルになっており、筐体段曲げ構造１２はカバー２の裏面側に、そして、カバー段曲げ構造２２は、筐体１の正面上部の裏面側に潜り込む一歩手前の状態になっている。
【０１００】
このとき、筐体１の左右の側面部とカバー２の左右の側面部とは、それぞれ隙間が生じないで重なり合った状態となっている。
【０１０１】
この状態からカバー２を筐体１の正面部方向に水平にスライドさせる。このスライド動作により、カバーフック構造２１のカバーフック基部２１ａは、筐体フック構造１１のカバーフック構造係合溝１１ｄの中に水平状態でスライド移動する。相対的に、筐体フック構造１１の筐体フック基部１１ａは、カバーフック構造２１の筐体フック構造係合溝２１ｃの中に直立状態でスライド移動する。そして、カバーフック構造２１のカバーフック基部２１ａは、筐体フック構造１１のカバーフック構造係合溝１１ｄの深端部に達してスライド動作が停止する。また、筐体フック構造１１の筐体フック基部１１ａは、カバーフック構造２１の筐体フック構造係合溝２１ｃの深端部に達してスライド動作が停止する。
【０１０２】
同時に、筐体段曲げ構造１２はカバー２の裏面側に、そして、カバー段曲げ構造２２は、筐体１の正面上部の裏面側に潜り込む。このとき、カバー２の正面方向の断面部は、筐体１の正面上部の内側方向の断面部と密着する。
【０１０３】
また、このとき、筐体１の背面部とカバー２の背面部は、隙間が生じないで重なり合った状態となる。
【０１０４】
以上の動作で、カバー２が筐体１に嵌め込まれた状態になる。
【０１０５】
この状態で、カバーフック構造２１のカバーフック基部２１ａは、筐体フック構造１１のカバーフック構造係合溝１１ｄの中に入り込み、平板状の筐体フック指部１１ｂとその対向部で挟み込まれた状態になっている。筐体フック構造１１の筐体フック基部１１ａは、カバーフック構造２１の筐体フック構造係合溝２１ｃの中に入り込み、平板状のカバーフック指部２１ｂとその対向部であるカバー２の側面の内側で挟み込まれた状態になっている。
【０１０６】
そして、筐体１の正面上部に配備された筐体段曲げ構造舌部１２ａが、カバー２の裏面側に潜り込み、筐体段曲げ構造突起部１２ｂがカバー２を裏面側から押し上げている。また、同時に、カバー２に配備されたカバー段曲げ構造舌部２２ａが、筐体１の正面上部の裏面側に潜り込み、カバー段曲げ構造突起部２２ｂが、筐体１の正面上部を裏面側から押し上げている。
【０１０７】
このようにして、筐体フック構造１１とカバーフック構造２１とが係合し、カバー２の上下方向および左右方向のガタツキを抑える。また、筐体段曲げ構造１２はカバー２に、カバー段曲げ構造２２は筐体１にそれぞれ嵌め込まれ、カバー２の前後方向のガタツキを抑える。
【０１０８】
図８は、カバー２を筐体１に嵌め込んだ状態を正面方向から見た斜視図とその透視図である。
【０１０９】
上記のようにカバー２を筐体１に嵌め込むことにより、図８（ａ）に示すように、筐体１とカバー２の各側面部と各背面部が、それぞれ隙間が生じないで重なり合う。そして、カバー２の固着を、より確実なものにするために、図８（ｂ）に示すように、背面において、少なくとも１本のネジでカバー２を筐体１に固定する、ネジ固定構造を設けてもよい。
【０１１０】
図９は、カバー２を筐体１に嵌め込んだ状態を背面方向から見た斜視図とその嵌め込み状態を示す拡大斜視図である。
【０１１１】
図９から明らかなように、本実施形態の筐体固定構造は、カバー２をネジ１本で筐体１に固定すれば、その固着をより強固にすることができる。また、背面部、側面部ともに隙間が生じないで重なり合った状態となる。
【０１１２】
図１０は、カバー２を筐体１に嵌め込んだ状態を正面方向から見た斜視図とその嵌め込み状態を示す拡大斜視図である。正面部、側面部ともに隙間が生じないで重なり合った状態となる。
【０１１３】
以上に説明したように、本発明の実施形態は、略Ｌ字形状をした筐体フック構造１１と略Ｌ字形状をしたカバーフック構造２１とが、それぞれ９０度の角度を持って係合する。そのため、「Ｌ」字の縦長辺部に相当する箇所である筐体フック指部１１ｂとその対向部で、「Ｌ」字の横短辺部に相当する箇所であるカバーフック基部２１ａを挟み込む。これにより、筐体１とカバー２の上下方向のガタツキを抑えることができる。同時に、「Ｌ」字の縦長辺部に相当する箇所であるカバーフック指部２１ｂとその対向部であるカバー２の側面の内側で、「Ｌ」字の横短辺部に相当する箇所である筐体フック基部１１ａを挟み込む。これにより、筐体１とカバー２の左右方向のガタツキを抑えることができる。
【０１１４】
また、筐体段曲げ構造１２はカバー２に、カバー段曲げ構造２２は筐体１にそれぞれ嵌め込まれ、筐体１に嵌め込まれたカバー２の前後方向のガタツキを抑える。更に、それぞれの段曲げ構造の舌部には、突起部が形成されている。そして、この突起部により、それぞれの段曲げ構造の舌部とカバー２または筐体１の正面上部との間で相互に弾性力が働き、ガタツキを抑える。
【０１１５】
さらに、筐体フック構造１１とカバーフック構造２１との係合、および突起部の作用による弾性力で相互に押し付けられたそれぞれの段曲げ構造とカバー２または筐体１との接触により、筐体１とカバー２は電気的な導通を得ることができる。そのため、筐体１が収容する通信機器からの電磁放射ノイズを遮蔽して、グランドに流すことができる構造の筐体を形成することができる。
【０１１６】
さらに、上述した筐体１とカバー２の嵌め込みによる固着を、より強固にするためにネジで固定するネジ固定構造を設けてもよい。このネジ固定構造は、少なくとも１箇所のネジ固定で確実に筐体１とカバー２とを固着できる。そのため、ネジ固定構造を設けたとしても作業効率は良い。
【符号の説明】
【０１１７】
１    筐体
２    カバー
１−１    第１のフック構造
１−２    第１の段曲げ構造
２−１    第２のフック構造
２−２    第２の段曲げ構造
１１    筐体フック構造
１２    筐体段曲げ構造
２１    カバーフック構造
２２    カバー段曲げ構造
１１ａ    筐体フック基部
１１ｂ    筐体フック指部
１１ｃ    カバーフック基部挿通部
１１ｄ    カバーフック構造係合溝
２１ａ    カバーフック基部
２１ｂ    カバーフック指部
２１ｃ    筐体フック構造係合溝
１２ａ    筐体段曲げ構造舌部
１２ｂ    筐体段曲げ構造突起部
２２ａ    カバー段曲げ構造舌部
２２ｂ    カバー段曲げ構造突起部
【図１】
0005869238.tif 000002
【図２】
0005869238.tif 000003
【図３】
0005869238.tif 000004
【図４】
0005869238.tif 000005
【図５】
0005869238.tif 000006
【図６】
0005869238.tif 000007
【図７】
0005869238.tif 000008
【図８】
0005869238.tif 000009
【図９】
0005869238.tif 000010
【図１０】
0005869238.tif 000011